(57)【要約】【課題】インクパックを大きくしたり、インクパックの個数を増やすと、インクパックを保持する保持部が大型化し、記録装置が大型化するという課題がある。【解決手段】用紙を保持する用紙カセット２９と、用紙を記録ヘッド２８に搬送する搬送ユニットと、記録ヘッドと搬送ユニットとを収容し、用紙カセット２９が挿入される筐体２５と、筐体２５の外側面に形成され、用紙カセット２９を挿入する開口部３０と、インクを収容するインク収容体と、筐体２５の開口部３０が形成された外側面に隣接する両側の外側面に配置され、インク収容体を保持するケース１８と、インク収容体から筐体２５の内部にインクを供給するチューブと、を備え、ケース１８は底部５０ａを有し、底部５０ａが筐体２５の底面２５ａよりも低い位置になるように配置される記録装置を提供する。【選択図】図２
2015044372.tif 000002
【特許請求の範囲】
【請求項１】
液体を記録媒体に噴射可能な記録ヘッドと、
前記記録媒体を保持する記録媒体保持ユニットと、
前記記録媒体を前記記録ヘッドに搬送する搬送ユニットと、
前記記録ヘッドと前記搬送ユニットとを収容し、前記記録媒体保持ユニットが挿入される筐体と、
前記筐体の外側面に形成され、前記記録媒体保持ユニットを挿入する挿入口と、
前記液体を収容する液体収容体と、
前記筐体の前記挿入口が形成された外側面に隣接する少なくとも一方の外側面に配置され、前記液体収容体を保持する保持体と、
前記液体収容体から前記筐体の内部に前記液体を供給する供給部と、
前記筐体の下に配置され、前記記録媒体保持ユニットとは異なる外部記録媒体保持ユニットと、を備え、
前記保持体は底部を有し、前記底部が前記筐体の底面よりも低い位置になるように配置されることを特徴とする記録装置。
【請求項２】
請求項１に記載の記録装置であって、
前記保持体の底部は、前記外部記録媒体保持ユニットの底面よりも高い位置になるように配置されることを特徴とする記録装置。
【請求項３】
請求項１に記載の記録装置であって、
前記保持体の底部は、前記外部記録媒体保持ユニットの底面と一致する位置になるように配置されることを特徴とする記録装置。
【請求項４】
請求項１に記載の記録装置であって、
複数の外部記録媒体保持ユニットを有し、前記保持体の底部は、最下部の前記外部記録媒体保持ユニットの底面よりも高い位置になるように配置されることを特徴とする記録装置。
【請求項５】
請求項１に記載の記録装置であって、
複数の外部記録媒体保持ユニットを有し、前記保持体の底部は、最下部の前記外部記録媒体保持ユニットの底面と一致する位置になるように配置されることを特徴とする記録装置。
【請求項６】
請求項１に記載の記録装置であって、
前記保持体は前記筐体の前記挿入口が形成された外側面に隣接する両側の外側面に配置され、両側の前記保持体の底部が前記筐体の底面よりも低い位置になるように配置されることを特徴とする記録装置。
【請求項７】
請求項１に記載の記録装置であって、
前記保持体は前記筐体の前記挿入口が形成された外側面に隣接する両側の外側面に配置され、少なくとも一方の前記保持体の底部が前記筐体の底面よりも低い位置になるように配置されることを特徴とする記録装置。
【請求項８】
請求項１から請求項７のいずれか一項に記載の記録装置であって、
前記記録媒体保持ユニットと前記外部記録媒体保持ユニットとは収容サイズが異なることを特徴とする記録装置。
【請求項９】
請求項１から請求項７のいずれか一項に記載の記録装置であって、
前記記録媒体保持ユニットと前記外部記録媒体保持ユニットとは収容サイズが同じであることを特徴とする記録装置。
【請求項１０】
請求項１から請求項９のいずれか一項に記載の記録装置であって、
前記保持体の下の位置の前記筐体の底面には前記記録装置を保持する取っ手部が形成され、前記取っ手部の位置に前記保持体が配置されないことを特徴とする記録装置。
【請求項１１】
請求項１から請求項１０のいずれか一項に記載の記録装置であって、
原稿台に載置された原稿に描かれた画像を読み取る読取部を備え、
前記保持体の最上部の位置は、前記原稿台より低い位置にあることを特徴とする記録装置。
【請求項１２】
請求項１１に記載の記録装置であって、
前記読取部が他の部分よりも張り出した庇部が形成され、前記保持体の少なくとも一部が、前記庇部と重なる位置に配置されることを特徴とする記録装置。
【発明の詳細な説明】
【技術分野】
【０００１】
本発明は、記録装置に関する。
【背景技術】
【０００２】
従来から、記録装置の一種として、記録ヘッドから用紙等に対してインクを噴射して印刷を行うインクジェット式プリンターが知られている。このようなインクジェット式プリンターにおいては、比較的大量の印刷を行う場合にプリンターヘッドへ連続的に安定してインクを供給するために、インクジェット式プリンターの本体装置とは別体に外部インク供給装置（液体供給装置）備え、プリンターヘッドにインクを供給する構成が提案されている（例えば、特許文献１参照）。
【０００３】
こうした液体供給装置には、大容量のインクパック（液体収容体）が備えられ、液体供給装置と本体装置内のプリンターヘッドとを連通するインク供給チューブによって、インクが供給される。
用紙カセットに載置された用紙は、筐体の内部の印刷部に供給されて印刷される。このようなインクジェット式プリンターには、筐体に挿入された用紙カセットと、この筐体に挿入された用紙カセットとは別の用紙カセットとが備えられたものがある。このようなインクジェット式プリンターはインクの使用量が多いので、インクパックを大きくしたり、インクパックの個数を増やす必要性がある。
【先行技術文献】
【特許文献】
【０００４】
【特許文献１】特開２００９−２０２３４６号公報
【発明の概要】
【発明が解決しようとする課題】
【０００５】
しかしながら、インクパックを大きくしたり、インクパックの個数を増やすと、インクパックを保持する保持部が大型化し、記録装置が大型化するという課題がある。
【課題を解決するための手段】
【０００６】
本発明は、上述の課題の少なくとも一部を解決するためになされたものであり、以下の形態または適用例として実現することが可能である。
【０００７】
［適用例１］液体を記録媒体に噴射可能な記録ヘッドと、前記記録媒体を保持する記録媒体保持ユニットと、前記記録媒体を前記記録ヘッドに搬送する搬送ユニットと、前記記録ヘッドと前記搬送ユニットとを収容し、前記記録媒体保持ユニットが挿入される筐体と、前記筐体の外側面に形成され、前記記録媒体保持ユニットを挿入する挿入口と、前記液体を収容する液体収容体と、前記筐体の前記挿入口が形成された外側面に隣接する少なくとも一方の外側面に配置され、前記液体収容体を保持する保持体と、前記液体収容体から前記筐体の内部に前記液体を供給する供給部と、前記筐体の下に配置され、前記記録媒体保持ユニットとは異なる外部記録媒体保持ユニットと、を備え、前記保持体は底部を有し、前記底部が前記筐体の底面よりも低い位置になるように配置されることを特徴とする記録装置。
【０００８】
本適用例によれば、保持体は底部を有し、底部が筐体の底面よりも低い位置になるように配置される。これにより、液体収容体を大きくしたり、液体収容体の個数を増やしても、液体収容体を保持する保持体が大型化し、記録装置が大型化することを抑制できる。
【０００９】
［適用例２］前記保持体の底部は、前記外部記録媒体保持ユニットの底面よりも高い位置になるように配置されることを特徴とする上記記録装置。
【００１０】
本適用例によれば、記録装置の設置面積を小さくできる。
【００１１】
［適用例３］前記保持体の底部は、前記外部記録媒体保持ユニットの底面と一致する位置になるように配置されることを特徴とする上記記録装置。
【００１２】
本適用例によれば、保持体の容積を大きくできるので、大きな液体収容体を備えたり、液体収容体の個数を増やすことができる。
【００１３】
［適用例４］複数の外部記録媒体保持ユニットを有し、前記保持体の底部は、最下部の前記外部記録媒体保持ユニットの底面よりも高い位置になるように配置されることを特徴とする上記記録装置。
【００１４】
本適用例によれば、記録装置の設置面積を小さくできる。
【００１５】
［適用例５］複数の外部記録媒体保持ユニットを有し、前記保持体の底部は、最下部の前記外部記録媒体保持ユニットの底面と一致する位置になるように配置されることを特徴とする上記記録装置。
【００１６】
本適用例によれば、保持体の容積を大きくできるので、大きな液体収容体を備えたり、液体収容体の個数を増やすことができる。
【００１７】
［適用例６］前記保持体は前記筐体の前記挿入口が形成された外側面に隣接する両側の外側面に配置され、両側の前記保持体の底部が前記筐体の底面よりも低い位置になるように配置されることを特徴とする上記記録装置。
【００１８】
本適用例によれば、両側の保持体の容積を大きくできるので、大きな液体収容体を備えたり、液体収容体の個数を増やすことができる。
【００１９】
［適用例７］前記保持体は前記筐体の前記挿入口が形成された外側面に隣接する両側の外側面に配置され、少なくとも一方の前記保持体の底部が前記筐体の底面よりも低い位置になるように配置されることを特徴とする上記記録装置。
【００２０】
本適用例によれば、両側の保持体のうちの少なくとも一方の保持体の容積を大きくできるので、大きな液体収容体を備えたり、液体収容体の個数を増やすことができる。
【００２１】
［適用例８］前記記録媒体保持ユニットと前記外部記録媒体保持ユニットとは収容サイズが異なることを特徴とする上記記録装置。
【００２２】
本適用例によれば、異なるサイズの記録媒体をそれぞれに収容できる。
【００２３】
［適用例９］前記記録媒体保持ユニットと前記外部記録媒体保持ユニットとは収容サイズが同じであることを特徴とする上記記録装置。
【００２４】
本適用例によれば、同じサイズの記録媒体をそれぞれに収容できる。
【００２５】
［適用例１０］前記保持体の下の位置の前記筐体の底面には前記記録装置を保持する取っ手部が形成され、前記取っ手部の位置に前記保持体が配置されないことを特徴とする上記記録装置。
【００２６】
本適用例によれば、保持体が筐体に装着された状態で取っ手部を把持できる。
【００２７】
［適用例１１］原稿台に載置された原稿に描かれた画像を読み取る読取部を備え、前記保持体の最上部の位置は、前記原稿台より低い位置にあることを特徴とする上記記録装置。
【００２８】
本適用例によれば、使用者が読取部に原稿を載置したり、原稿を読取部から取り除いたりする際の操作性がよい。
【００２９】
［適用例１２］前記読取部が他の部分よりも張り出した庇部が形成され、前記保持体の少なくとも一部が、前記庇部と重なる位置に配置されることを特徴とする上記記録装置。
【００３０】
本適用例によれば、記録装置の大型化を抑制できる。
【図面の簡単な説明】
【００３１】
【図１】記録装置の外観斜視図。
【図２】オートドキュメントフィーダーを取り外した状態における記録装置を正面側から見た図。
【図３】インク供給装置の蓋体を取り外した状態における記録装置の斜視図。
【図４】インク収容体の斜視図。
【図５】筐体の上部を取り外した状態における記録装置の斜視図。
【図６】（ａ）は、実施形態２におけるインク供給装置が備えられた側の部分を示す外観斜視図、（ｂ）は、インク供給装置が備えられた側の部分を正面から見た図、（ｃ）は、ロック機構の概略構成を示す図。
【図７】（ａ）〜（ｃ）は、ケースの位置を説明するための模式図。
【発明を実施するための形態】
【００３２】
（実施形態１）
以下、記録装置の一実施形態について、図面に従って説明する。図１は、本実施形態における記録装置としてのインクジェット式プリンター（以降は、プリンターと称する）１１の外観斜視図である。プリンター１１は、インク（液体）を噴射して画像を形成する印刷部１２及び原稿Ｇ（媒体）を読み取る読取部１３を有する本体装置１４と、印刷部１２にインクを供給するインク供給装置１５ａ，１５ｂとを備えている。インク供給装置１５ａは、本体装置１４の左側に取り付けられ、インク供給装置１５ｂは、本体装置１４の右側に取り付けられている。
【００３３】
読取部１３は、印刷部１２の上に配置されている。読取部１３にはガラスなどの透明板状部材によって形成された不図示の原稿台が備えられ、原稿台に載置された原稿Ｇを読み取ることが可能である。また、読取部１３上には、不図示のヒンジ部を介して読取部１３の後面における上端部に連結されるオートドキュメントフィーダー１６が配置されている。オートドキュメントフィーダー１６は、積層された複数の原稿Ｇを一枚ずつ反転させながらガラスなどの透明板状部材によって形成された不図示の読取窓上に順次給送して原稿Gを読み取ることが可能である。
【００３４】
筐体２５の正面側に形成された開口部３０には、用紙カセット２９が前後方向において挿抜可能に設けられる。開口部３０は、用紙カセット２９が、筐体２５に対して着脱自在に装着される挿入口である。用紙カセット２９の上側には、排紙トレイ３２が前後方向において伸縮自在に設けられる。
【００３５】
用紙カセット２９には、複数の用紙が積層状態で載置される。用紙カセット２９に載置された用紙は、筐体２５の内部に一枚ずつ供給され、印刷された用紙が排紙口３１から排出されて排紙トレイ３２に載置される。
【００３６】
筐体２５の下には、増設カセットユニット１４１が備えられる。増設カセットユニット１４１には、前後方向に挿抜可能な用紙カセット１４０が設けられる。
【００３７】
インク供給装置１５ａ，１５ｂのケース１８の構成について詳述する。ケース１８の蓋体２１は、容器本体２０側が開口し、前後方向に長く且つ容器本体２０よりも浅い有蓋矩形箱状をなしている。蓋体２１は、不図示のヒンジ部を介して容器本体２０の後面における上端部に連結されている。したがって、蓋体２１は、開閉動作される場合、ヒンジ部を支点として回動する。すなわち、蓋体２１は、容器本体２０の前側から開かれ、容器本体２０の前側で閉じられる。
【００３８】
容器本体２０は、有底矩形箱状の底壁形成部材５０と、側壁の内側半分（左右方向において本体装置１４側半分）を形成するとともに略Ｕ字状に湾曲した板状の内側壁形成部材５１と、側壁の外側半分（左右方向において本体装置１４と反対側半分）を形成するとともに略Ｕ字状に湾曲した板状の外側壁形成部材５２と、開口部の周縁部を構成する中空で矩形枠状をなす縁部材５３とを備えている。
【００３９】
容器本体２０は、分割部材の一例としての内側壁形成部材５１と、分割部材の一例としての外側壁形成部材５２とを組み合わせることによって構成される。すなわち、容器本体２０の側壁は、２つの分割部材である内側壁形成部材５１及び外側壁形成部材５２を組み合わせることによって構成される。
【００４０】
インク供給装置１５ａ，１５ｂの蓋体２１と縁部材５３との正面側には、ロック機構２２が設けられる。ロック機構２２は、所謂南京錠６０によって、蓋体２１を容器本体２０に対して閉状態に維持することができる。
【００４１】
図２は、図１の状態からオートドキュメントフィーダー１６を取り外した状態におけるプリンター１１を正面側から見た図である。
【００４２】
破線１３ａは、原稿Ｇが載置される原稿台の高さ方向における位置を示す。インク供給装置１５ａ，１５ｂは、蓋体２１が閉じた状態において、蓋体２１の上端２１ａの位置が読み取り面（原稿台）の高さ方向の位置１３ａと同じか、または位置１３ａより低い位置になるように備えられる。
【００４３】
このような構成により、使用者が、図１のオートドキュメントフィーダー１６を持ち上げて回動させて原稿台を開放してから、原稿台に原稿Ｇを載置し、読取部１３によって原稿Ｇの画像を読み取らせた後に、原稿Ｇを原稿台から取り除くまでの動作において操作性がよい。また、原稿Ｇのサイズが、原稿台からはみだすほど大きな場合に、特に原稿台の左右方向にはみだした原稿Ｇがインク供給装置１５ａ，１５ｂに干渉することがなく操作性が良い。また、インク供給装置１５ａ，１５ｂの上面の高さを、原稿台の高さと略同一に設定しておけば、はみだした原稿Ｇを支持することができ、原稿Ｇが撓むことによる原稿Ｇの損傷を防止することができる。
【００４４】
図３は、インク供給装置１５ａ，１５ｂの蓋体２１を取り外した状態におけるプリンター１１の斜視図である。インク供給装置１５ａには、モノクロインクを収容する１個のインク収容体１７ａが着脱可能に備えられる。インク供給装置１５ｂには、イエロー、マゼンタ、シアンのカラーインクをそれぞれ収容する３個のインク収容体１７ｂが着脱可能に備えられる。インク収容体１７ａにインクを収容可能なインク容量は、インク収容体１７ｂにインクを収容可能なインク容量より多い。また、３個のインク収容体１７ｂのインク容量は、略同じである。
【００４５】
図４は、インク収容体１７ａ，１７ｂの斜視図である。インク収容体１７ａ，１７ｂは、インクを収容するインク袋９０を備えている。インク袋９０における上端側には、支持部材（ハンガー部材）９２が取着されている。すなわちインク袋９０は、支持部材９２と係合している。
【００４６】
インク袋９０は、２つの矩形状の可撓性フィルム９０ａの周縁に筒状のインク導出部（図示略）を挟んだ状態でこれら２つの可撓性フィルム９０ａの周縁同士を溶着することによって形成される。
【００４７】
インク収容体１７ａ，１７ｂの支持部材９２は、インク袋９０の上端部に対して当該上端部を互いに挟むように取り付けられる第１支持部材１０５及び第２支持部材１０６を備えている。また、第２支持部材１０６における両端部には、インク袋９０に形成されたインク袋貫通孔（図示略）に挿通される円柱状の凸部１２３がそれぞれ突設されている。また、第２支持部材１０６には、インク袋貫通孔に挿通された凸部１２３と係合する係合切欠凹部１３０が形成されている。
【００４８】
３個のインク収容体１７ｂは、第１支持部材１０５の長手方向が左右方向に対して傾斜した角度（例えば３０度）の姿勢で、突片部１２２を容器本体２０内の凹部（不図示）に保持させる。
【００４９】
インク収容体１７ａ，１７ｂの上部には、弁体部（図示略）が設けられており、キャップ８７を押し下げる方向に回転させることによって弁体部が動作し、インク収容体１７ａ，１７ｂの内部と接続チューブ３７ａ，３７ｂとが連通状態となる。
【００５０】
インク供給装置１５ａのケース１８における奥行きの長さは、インク供給装置１５ｂのケース１８における奥行きの長さより短い。そして、インク供給装置１５ａおよびインク供給装置１５ｂの正面側の端部の位置は、前後方向において略同じ位置にあるが、インク供給装置１５ａの背面側の位置は、インク供給装置１５ｂの背面側の位置より前側にある。そのため、筐体２５の左側背面部には、インク供給装置１５ａが配置されない。
【００５１】
このような構成により、使用者が、電源コードに接続されて交流電源を供給するためのプラグ（不図示）を、筐体２５の左側背面部に設けられたプラグ受け（不図示）に接続する際の接続作業を容易にすることができる。
【００５２】
また、インク供給装置１５ａのケース１８における幅の長さＬ１は、インク供給装置１５ｂのケース１８における幅の長さＬ２より短く、インク供給装置１５ａのケース１８における高さ方向の長さは、インク供給装置１５ｂのケース１８における高さ方向の長さより短い。このように、インク供給装置１５ａのケース１８とインク供給装置１５ｂのケース１８の大きさが異なる。
【００５３】
図５は、筐体２５の上部を取り外した状態におけるプリンター１１の斜視図である。印刷部１２は、左右方向に長い略直方体状の筐体２５を備えている。筐体２５内の中央部には、記録媒体としての用紙Ｐを支持する支持台２６が設けられている。支持台２６の上方には、主走査方向である左右方向に往復移動可能なキャリッジ２７が設けられている。
【００５４】
キャリッジ２７内には、キャリッジ２７の下面から露出するようにインクを噴射する記録ヘッド２８が支持されている。記録ヘッド２８は、支持台２６と対向している。記録ヘッド２８は、キャリッジ２７が左右方向に移動しながら支持台２６上を後側から前側に向かって搬送される用紙Ｐに対して複数のノズル（図示略）からインクを噴射することで、用紙Ｐに印刷を行う。
【００５５】
用紙カセット２９は、筐体２５内における支持台２６の下側に備えられる。用紙カセット２９内の用紙Ｐは、紙送り機構（図示略）により、一枚ずつ反転されながら支持台２６上へ後側から給送される。
【００５６】
支持台２６上で印刷された用紙Ｐは、開口部３０における用紙カセット２９よりも上側の領域によって構成される図１の排紙口３１から順次排紙される。
【００５７】
筐体２５内における左端部には、前側が開口した矩形箱状をなすホルダーケース３４が設けられる。ホルダーケース３４内には、左右方向に並ぶ４個の中空のインク供給針（不図示）が備えられている。
【００５８】
各インク供給針は、前後方向に延びるとともに、ホルダーケース３４の側壁を貫通している。可撓性のインク供給チューブ３６の一端側は、各インク供給針の後端部に接続され、インク供給チューブ３６の他端側は記録ヘッド２８に接続されている。
【００５９】
１本の可撓性の接続チューブ３７ａの一端側は、インク供給針の前端部と接続され、接続チューブ３７ａの他端側は、インク供給装置１５ａに収容されるインク収容体１７ａと接続される（図３参照）。
【００６０】
３本の可撓性の接続チューブ３７ｂの一端側は、各インク供給針の前端部と接続され、接続チューブ３７ｂの他端側は、インク供給装置１５ｂに収容される各インク収容体１７ｂと接続される（図３参照）。
【００６１】
インク収容体１７ａ，１７ｂの上部には、弁体部（図示略）が設けられており、キャップ８７を押し下げる方向に回転させることによって弁体部が動作し、インク収容体１７ａ，１７ｂの内部と接続チューブ３７ａ，３７ｂとが連通状態となる。
【００６２】
従って、インク供給装置１５ａに収容されたインク収容体１７ａから接続チューブ３７ａ、インク供給針、インク供給チューブ３６を介して、記録ヘッド２８にモノクロインクが供給される。
【００６３】
また、インク供給装置１５ｂに収容されたインク収容体１７ｂから接続チューブ３７ｂ、インク供給針、インク供給チューブ３６を介して、記録ヘッド２８に、イエローインク、マゼンタインク、シアンインクのカラーインクがそれぞれ供給される。
【００６４】
本実施形態における用紙カセット２９は記録媒体保持ユニットを構成し、インク収容体１７ａ，１７ｂは液体収容体を構成し、ケース１８は保持体を構成し、増設カセットユニット１４１は、外部記録媒体保持ユニットを構成する。
【００６５】
以上、本実施形態のプリンター１１は、インクを用紙Ｐに噴射可能な記録ヘッドと、用紙Ｐを保持する用紙カセット２９と、用紙Ｐを記録ヘッドに搬送する搬送ユニットと、記録ヘッドと搬送ユニットとを収容し、用紙カセット２９が挿入される筐体２５と、筐体２５の外側面に形成され、用紙カセット２９を挿入する挿入口（開口部３０）と、インクを収容するインク収容体１７ａ，１７ｂと、筐体２５の開口部３０が形成された外側面に隣接する少なくとも一方の外側面に配置され、インク収容体を保持するケース１８と、インク収容体から筐体２５の内部にインクを供給する供給部（接続チューブ３７ａ，３７ｂを少なくとも含む）と、を備え、ケース１８は底部５０ａを有し、底部５０ａが筐体２５の底面２５ａよりも低い位置になるように配置される。
【００６６】
この構成によれば、インク収容体１７ａ，１７ｂを大きくしたり、インク収容体１７ａ，１７ｂの個数を増やしても、インク収容体１７ａ，１７ｂを保持するケース１８が大型化し、プリンター１１が大型化することを抑制できる。
【００６７】
また、ケース１８の底部５０ａは、増設カセットユニット１４１の底面よりも高い位置になるように配置される。これにより、プリンター１１の設置面積を小さくできる。
【００６８】
図７（ａ）〜（ｃ）は、正面側から見た図で、ケースの位置を説明するための模式図である。図７（ａ）のケース３０４（保持体）の底部３０４ａは、増設カセットユニット３０３（外部記録媒体保持ユニット）の底面３０３ａと一致する位置になるように配置してもよい。
【００６９】
これにより、ケース３０４の容積を大きくできるので、大きなインク収容体１７ａ，１７ｂ（液体収容体）を備えたり、インク収容体１７ａ，１７ｂの個数を増やすことができる。
【００７０】
また、図７（ｂ）に示すように、複数の増設カセットユニット３０３，３０５を有し、ケース３０６の底部３０６ａは、最下部の増設カセットユニット３０５の底面３０５ａよりも高い位置になるように配置してもよい。この構成によれば、記録装置の設置面積を小さくできる。
【００７１】
また、図７（ｃ）に示すように、複数の増設カセットユニット３０３，３０５を有し、ケース３０７の底部３０７ａは、最下部の増設カセットユニット３０５の底面３０５ａと一致する位置になるように配置してもよい。
【００７２】
この構成によれば、ケース３０７の容積を大きくできるので、大きなインク収容体１７ａ，１７ｂを備えたり、インク収容体１７ａ，１７ｂの個数を増やすことができる。
【００７３】
本実施形態では、両側のケース１８の底部５０ａが筐体２５の底面２５ａよりも低い位置になるように配置されたが、片方のケース１８の底部５０ａが筐体２５の底面２５ａよりも低い位置になるように配置されてもよい。
【００７４】
本実施形態の用紙カセット２９と用紙カセット１４０とは収容サイズが異なる。これにより、異なるサイズの用紙をそれぞれに収容できる。
【００７５】
用紙カセット２９と用紙カセット１４０とは収容サイズが同じでもよい。これにより、同じサイズの用紙をそれぞれに収容できる。
【００７６】
（実施形態２）
実施形態１では、蓋体２１の回動軸が背面側に設けられて、正面側が開口するケース１８について説明したが、実施形態２では、前後方向に延びる回動軸が蓋体２１の下部に設けられて、筐体の側面側が開口するケースについて説明する。
【００７７】
図６（ａ）は、実施形態２におけるインク供給装置２１０が備えられた側の部分を示す外観斜視図である。図６（ｂ）は、インク供給装置２１０が備えられた側の部分を、正面側から見た図である。インク供給装置２１０のケース２０９は、容器本体２０７と蓋体２０８とから構成される。
【００７８】
図６（ｂ）に示すように、蓋体２０８は、蓋体２０８における下部に設けられて軸方向が前後方向に延びる回動軸２１６を支点として、矢印方向に回動する。これにより、蓋体２０８の右側が開口可能に備えられる。
【００７９】
本体装置２０３は、読取部２０１と印刷部２０２とから構成される。読取部２０１の右側には、印刷部２０２を収容する筐体２０５の壁面より右側に突出した庇部２０４が形成される。すなわち、図６（ｂ）に示すように、庇部２０４は、左右方向において、容器本体２０７と重なる位置にある。これにより、プリンター２００が大型化することを抑制できる。
【００８０】
蓋体２０８の下部は他の部分よりも蓋体２０８の厚さが薄く、下部がすぼむ形状となっている。このすぼんだ蓋体２０８の下部には、蓋体２０８のすぼんだ壁面２１２より外側に凸状に突出した凸部２１１が形成される。凸部の突出量は他のすぼんでいない領域と同等である。言い換えるとすぼんでいる領域があることによって、相対的に凸部が突出した形状となっている。蓋体２０８の下部内側の壁面には、凸部２１１の形状に沿って形成された凹部（不図示）が形成される。これにより、この凹部に、容器本体２０７に収容されたインク収容体（図４参照）の下部の一端側を保持させることができる。
【００８１】
蓋体２０８には透明性を有する透明部材２１３が設けられる。これにより、容器本体２０７に収容されたインク収容体を視認可能な窓として機能する。そのため、透明部材２１３の外側からケース２０９内の全てのインク収容体のインク袋の萎み具合をケース２０９の前側から視認することができる。このため、各インク収容体のインク袋９０の萎み具合から各インク収容体の交換時期を認識できる。
【００８２】
図６（ａ）の蓋体２０８には、蓋体２０８を開閉する際の開閉レバー２１４が設けられる。開閉レバー２１４は、容器本体２０７に収容された複数のインク収容体の間の位置に設けられる。開閉レバー２１４には容器本体２０７と蓋体２０８とを閉状態に固定するためのロック機構や不図示のフック等の構造物が含まれており、それらの設置スペースが必要となる。このような場合であっても、開閉レバー２１４を、容器本体２０７に収容された複数のインク収容体の間の位置に設けることにより、ケース２０９の幅の長さを短くすることができる。
【００８３】
蓋体２０８と容器本体２０７とには蓋体２０８を閉状態に維持可能なロック機構２１５が備えられる。図６（ｃ）は、ロック機構２１５の概略構成を示す図である。ロック機構２１５は、所謂シリンダー錠によって構成される。
【００８４】
蓋体２０８の上部には保持部材２１７が備えられる。保持部材２１７には、回動部材２１８が回動可能に備えられる。回動部材２１８の端部にはレバー２１９が備えられる。使用者が、キー２２１を回動部材２１８の開口部に挿入し、回動させるとレバー２１９が回動し、容器本体２０７に設けられた係合部２２０と係合し、蓋体２０８は容器本体２０７に対して閉状態となる。
【００８５】
筐体２０５の下には、筐体２０５の挿入口に挿抜可能に設けられた用紙カセット（不図示）とは別に増設カセットユニット２０６が備えられる。ケース２０９の下端部は、筐体２０５の底面２０５ａより下側の位置にあり、ケース２０９の下端部は、増設カセットユニット２０６の底面２０６ａより上側の位置にある。
【００８６】
増設カセットユニット２０６の底面２０６ａの右側角部には、凹状の取っ手部２２２が前後方向に長く設けられる。取っ手部２２２は、上下方向において、蓋体２０８と容器本体２０７と重ならない位置に設けられる。インク供給装置２１０が筐体２０５に装着された状態で、使用者は、取っ手部２２２を把持し、増設カセットユニット２０６と、増設カセットユニット２０６に搭載された本体装置２０３とを保持した状態でプリンター２００を持ち上げて移動することができる。また、取っ手部２２２が明確に示されることにより、移動時に誤ってインク供給装置１５ａ、１５ｂを保持してしまい、インク供給装置１５ａ、１５ｂを損傷してしまうことを防止できる。
【符号の説明】
【００８７】
１１，２００…インクジェット式プリンター、１３，２０１…読取部、１７ａ，１７ｂ…インク収容体、１８，２０９…ケース、２５，２０５…筐体、２５ａ，２０５ａ，２０６ａ，３０３ａ，３０５ａ…底面、２８…記録ヘッド、２９，１４０…用紙カセット、１４１，２０６，３０３，３０５…増設カセットユニット、３０…開口部、３７ａ，３７ｂ…接続チューブ、５０ａ，３０４ａ，３０６ａ，３０７ａ…底部、２０４…庇部、２２２…取っ手部。
【図１】
2015044372.tif 000003
【図２】
2015044372.tif 000004
【図３】
2015044372.tif 000005
【図４】
2015044372.tif 000006
【図５】
2015044372.tif 000007
【図６】
2015044372.tif 000008
【図７】
2015044372.tif 000009